(57)【要約】      （修正有）【課題】上部カバーを閉じる時に、用紙が突き破られたり、毛羽立った突起に起因する問題を克服する用紙停止機構を提供する。【解決手段】用紙停止機構２３は誘導要素２３２と用紙停止要素２３１と誘導スロット２３３とを含む。誘導要素は覆い部と拡張アームとを含む。覆い部は用紙ピックアップローラー２１の軸の周りを覆っている。用紙停止要素は停止部と突起部２３１２と接触部とを含む。誘導要素の拡張アームは用紙停止要素の接触部を持ち上げる方向に上向きに支持されている。用紙停止要素の突起部は誘導スロット内に収納されている。用紙ピックアップローラーが用紙入力トレイの方向へ移動するとき、誘導要素は上方に引き上げられる。その結果として、用紙停止要素の突起部は誘導スロットの中で移動、回転して、このため用紙の先端部はもはや用紙停止要素の停止部により妨げられることはなくなる。【選択図】図２
2010280505.tif 000002
【特許請求の範囲】
【請求項１】
自動給紙装置の用紙停止機構において、
前記自動給紙装置は用紙入力トレイと用紙ピックアップローラーと、前記用紙入力トレイの上に置かれた少なくとも一枚の用紙から成り、
前記用紙停止機構は、覆い部と拡張アームとから成り前記覆い部は前記用紙ピックアップローラーの軸を覆うようにした誘導要素と、停止部と少なくとも一つの突起部と接触部とから成る用紙停止要素で、前記誘導要素の前記拡張アームは前記用紙停止要素の前記接触部を上方に持ち上げる方向に支持されていることを特徴とする用紙停止要素と、
そして、前記用紙停止要素の少なくとも一つの突起部を収納する少なくとも一つの誘導スロットとから成り、
前記用紙ピックアップローラーが前記用紙入力トレイの方向へ移動するときは前記誘導要素は前記覆い部と前記用紙ピックアップローラーの移動にともない上方に引き上げられ、このため前記用紙停止要素の前記突起部は前記誘導スロットの中で移動、回転し、そして前記用紙の先端はもはや前記用紙停止要素の前記停止部に妨げられることなく、用紙誘導通路の中へ送られることが可能となることを特徴とする自動給紙装置の用紙停止機構。
【請求項２】
前記誘導要素はさらに、前記接触部が前記拡張アームから離れることを防ぐために前記拡張アームの端部に形成された押さえ部を含み、前記用紙停止要素の停止部は前記用紙停止要素の下端に設置されていることを特徴とする、請求項1の用紙停止機構。
【請求項３】
前記の少なくとも一つの突起部は二つの突起部を含み、前記の少なくとも一つの誘導スロットは二つの誘導スロットを含み、前記二つの突起部は用紙停止要素の両側に対称的に配置され、対応する誘導スロットに挿入されていることを特徴とする、請求項1の用紙停止機構。
【請求項４】
前記用紙停止要素はさらに前記用紙停止要素の上端近傍部に小穴を備え、前記用紙停止要素の前記接触部は前記用紙停止要素の上端に設置された水平の棒であり、前記誘導要素の前記拡張アームは前記小穴を貫通することを特徴とする、請求項1の用紙停止機構。
【請求項５】
前記自動給紙装置はさらに上部カバーを含み、複数の仕切り板が前記上部カバーの内側表面から突き出ており、前記用紙停止要素は二つの隣り合う仕切り板の間に設置されていることを特徴とする、請求項1の用紙停止機構。
【請求項６】
前記用紙停止機構はさらに支持要素を含み、前記支持要素は二つの厚板を含み、その二つの厚板は前記二つの隣り合う仕切り板から張り出て互いに向き合っていて、前記用紙ピックアップローラーが前記用紙入力トレイの方向に移動するとき前記誘導要素の前記拡張アームは前記支持要素に接して、前記拡張アームは前記支持要素が支点の役割をすることにより前記接触部を持ち上げる方向に支えられ、このため前記用紙停止要素は上方に引き上げられることを特徴とする、請求項5の用紙停止機構。   
【請求項７】
前記の少なくとも一つの誘導スロットは、前記二つの隣り合う仕切り板にそれぞれ形成された二つの誘導スロットを含むことを特徴とする、請求項5の用紙停止機構。
【請求項８】
前記誘導スロットは輪郭形成されたスロットで、
その幅が前記停止要素の前記突起部の幅よりも少し大きく、水平面に対して実質的に垂直となるような直線部と、
前記用紙停止要素の前記突起部が前記誘導スロットの中で移動・回転できるように、その幅が前記直線部の幅よりも大きく、前記直線部に連続していて前記用紙ピックアップローラーの方向に曲げられている曲線部、とから成ることを特徴とする、請求項1の用紙停止機構。
【請求項９】
自動給紙装置で、
その上に少なくとも一枚の用紙を置くための用紙入力トレイと、
前記用紙入力トレイの上に置かれた前記用紙を送るための用紙ピックアップローラーと、
前記用紙が用紙誘導通路の中に送られることを妨げるか、または前記用紙が前記用紙ピックアップローラーにより前記用紙誘導通路の中に送られること許容することを選択的に実行する用紙停止機構とから成り、
そして、前記用紙停止機構は、
前記用紙ピックアップローラーの軸の周りを覆う覆い部と拡張アームとから成る誘導要素と、
停止部と、少なくとも一つの突起部と、接触部とからなる用紙停止要素で、前記誘導要素の前記拡張アームは前記用紙停止要素の前記接触部を持ち上げる方向に支持されていることを特徴とする用紙停止要素と、
前記用紙停止要素の少なくとも一つの突起部を収納させるための、少なくとも一つの誘導スロット、とから成り、
前記用紙ピックアップローラーは前記用紙入力トレイの方向へ移動し、前記誘導要素は前記覆い部と前記用紙ピックアップローラーの移動にともない上方に引き上げられ、このため前記用紙停止要素の突起部は前記誘導スロットの中で移動・回転して、前記用紙の先端はもはや前記用紙停止要素の停止部により妨げられることなく、前記用紙誘導通路の中に送られること許容されることを特徴とする、自動給紙装置。
【発明の詳細な説明】
【技術分野】
【０００１】
本発明は用紙停止機構、特に自動給紙装置の用紙停止機構に関する。
【背景技術】
【０００２】
工業の発達とともに、ディジタル化されたオフィス技術は大きな発展を遂げ、今日では急速に普及が拡大している。例えば、コピー機、プリンタ、ファックス機器あるいはスキャナー等の多様なオフィス機器は（もちろん単機能の周辺機器にも言えることだが）、様々な用途を実現するために活用されている。しかし、多種類のオフィス機器をもつことは、広いスペースを占有してしまう。このため今日では、例えばプリンタやスキャナー、ファクスあるいはコピー機等の多数の機能を単一の装置に組込んだ多機能周辺装置が発達している。その結果として、多機能周辺装置の作業能力は向上し、稼働スペースの縮小化がなされた。
【０００３】
単機能あるいは多機能周辺機器においては、継続的連続的に多量の紙送りをするために、通常は自動給紙装置(ADF)を備えている。スキャンされるための用紙の束が給紙トレイに置かれた時、自動給紙装置の給紙機構は用紙を継続的にオフィス機器の内部に紙を送り込んで、例えば〔スキャン〕-〔ファックス〕-〔スキャン〕、のような連係動作ができるようにする。自動給紙装置では、用紙の積重ねの束から一枚の紙だけを取出す用紙分離装置が備えられていて、常に一枚の紙だけがオフィス機器の内部に供給されるようになっている。さらには、自動給紙装置には用紙停止機構が備えられている。用紙の先端部は、給紙動作が行われる前には用紙停止機構により止められていて、用紙誘導通路の入口には送られないようになっている。
【０００４】
図1は、従来技術の給紙装置における用紙停止機構を示す概略図である。用紙停止機構は抑制部１１と停止部１２とからなる。停止部１２の抑制回転により、用紙１３の先端は停止部１２の下端部１２１によりが妨げられ、用紙停止の機能が果たされる。用紙を用紙誘導通路の入口に送るためは、抑制部１１が軸の中心１２２に対して所定の角度だけ回転する。抑制部１１が回転するとともに、停止部１２の下端１２１は上昇し、従って用紙は用紙誘導通路の入口に送られることが可能になる。紙送り動作が完了すると、停止部１２は自重により元の位置に戻る。
【０００５】
従来形給紙装置の用紙停止機構には、しかしまだ欠点がある。例えば、自動給紙装置に故障が起こった場合、上部のカバーを開けなければならない。その上部カバーを閉じる時に、用紙が突き破られてしまう可能性がある。紙送り動作が完了した後には、停止部は自重に従って用紙停止ポジションに下げられる。このため、停止部の重量は入念に設計され、制御されねばならない。さらには、停止部に製作過程の結果として毛羽立った突起が残っている場合、停止部は正常な動作ができなくなってしまう。
【０００６】
そこで、従来技術にあった欠点を除くため、用紙停止機構の改善されたものを提供する必要がある。
【発明の概要】
【発明が解決しようとする課題】
【０００７】
本発明の目的は、用紙が突き破られてしまうという問題と、毛羽立った突起に起因する問題とを克服するような用紙停止機構を提供することである。
【０００８】
請求項１に記載の本発明においては、自動給紙装置の用紙停止機構が提供される。本自動給紙装置は、用紙入力トレイと用紙ピックアップローラーとを備える。用紙は用紙入力トレイの上に置かれる。用紙停止機構は誘導要素と用紙停止要素と誘導スロットとを備える。誘導要素は覆い部と拡張アームとを含む。覆い部は用紙ピックアップローラーの軸の周りを覆っている。用紙停止要素は停止部と突起部と接触部とを含む。誘導要素の拡張アームは、用紙停止要素の接触部を持ち上げる方向に支持されている。用紙停止要素の突起部は誘導スロットの中に収納されている。用紙ピックアップローラーが用紙入力トレイの方向に移動するとき、誘導要素は覆い部と用紙ピックアップローラーの移動とともに上方に引き上げられる。その結果として、用紙停止要素の突起部は誘導スロットの中で移動、回転し、そして用紙の先端は用紙停止要素の停止部にもはや妨げられることなく、用紙誘導通路の中に送られることが可能となる。         
【０００９】
請求項９による本発明では、自動給紙装置が提供される。この自動給紙装置は用紙入力トレイ、用紙ピックアップローラー、そして用紙停止機構を含む。用紙入力トレイは、少なくとも一枚の用紙をその上に置くために使用される。用紙ピックアップローラーは、用紙入力トレイ上に置かれた用紙を送るために使用される。用紙停止機構は、用紙が用紙誘導通路に送り込まれることを妨げるか、あるいは用紙が用紙ピックアップローラーによって用紙誘導通路に送り込まれることを許可するかを選択的に行うために使用される。用紙停止機構は、誘導要素、用紙停止要素と誘導スロットとを含む。誘導要素は覆い部と拡張アームとを含む。覆い部は用紙ピックアップローラーの軸の周りを覆っている。用紙停止要素は停止部と突起部と接触部とを含む。誘導要素の拡張アームは用紙停止要素の接触部を持ち上げる方向に支持されている。用紙停止要素の突起部は誘導スロット内に収納されている。用紙ピックアップローラーが用紙入力トレイに向かって移動するとき、誘導要素は覆い部と用紙ピックアップローラーが移動するのに応じて上方に引き上げられる。その結果として、用紙停止要素の突起部は誘導スロットの中で移動、回転し、用紙の先端部は用紙停止要素の停止部により妨げられることなく、用紙誘導通路に送られることが許容される。     
【００１０】
以上の本発明による内容は、以下に示す詳細な説明と関連図を吟味することにより、通常の当業者にとってはさらに明らかなものになる。
【図面の簡単な説明】
【００１１】
【図１】従来形自動給紙装置の用紙停止機構の概略を示す。
【図２】本発明実施による自動給紙装置の内部と上部カバーとを部分的に示す概略図である。
【図３】図２の自動給紙装置の内部を部分的に示す概略図であるが、上部カバーは示されていない。そして、
【図４Ａ】本発明による用紙停止機構の動作を示す概略図である。
【図４Ｂ】本発明による用紙停止機構の動作を示す概略図である。
【図４Ｃ】本発明による用紙停止機構の動作を示す概略図である。
【発明を実施するための形態】
【００１２】
本発明は、次の実施例を参照することにより、さらに明確に説明される。ここで、次に説明される本発明の好ましい実施例は図解と説明のみを目的とすることに留意すべきである。本発明は、以下の詳細に記述した開示例で全てが示されるものではなく、またそれに限定されるものでもない。
【００１３】
本発明は、オフィス機器とともに使用する自動給紙装置の用紙停止機構を提供するものである。オフィス機器の例としては、プリンタ、スキャナー、ファックス機器、コピー機あるいは複合機能周辺機器等であるが、それらに限定されるものではない。
【００１４】
図２は、本発明実施による自動給紙装置の上部カバーの内部を部分的に示す概略図である。図３は、図２で示された自動給紙装置の内部を部分的に示す概略図で、上部カバーは図示されていない。
図４A、４B, ４C は本発明による用紙停止機構の動作を図示するものである。   
【００１５】
図２と３および図４A〜４Cを参照願いたい。自動給紙装置２は、上部カバー２０、用紙ピックアップローラー２１、用紙分離ローラー２２、そして用紙停止機構２３とから成る。用紙ピックアップローラー２１、用紙分離ローラー２２、そして用紙停止機構２３は上部カバー２０に取り付けられている。用紙入力トレイ２４（図４参照）の上に置かれた用紙Ｐ（例えば原紙）は、用紙ピックアップローラー２１、用紙分離ローラー２２、そして用紙停止機構２３の連係動作によって、用紙誘導通路の中へ連続的に送り込まれ、画像処理動作の対象とされる。        
【００１６】
用紙分離ローラー２２の軸２２１は、駆動装置（図示されていない）に直接または間接的に接続されていて、用紙分離ローラー２２はその駆動装置により回転させられる。さらには、用紙ピックアップアーム２５は用紙分離ローラー２２と用紙ピックアップローラー２１との間に設置される。用紙ピックアップアーム２５は用紙分離ローラー２２と用紙ピックアップローラー２１とに接続されている。用紙分離ローラー２２の軸２２１が回転シャフトとして動作するにともない、用紙ピックアップアーム２５は用紙分離ローラー２２あるいは駆動装置により回転させられ、用紙ピックアップアーム２５は用紙入力トレイ２４に近づくか、または遠ざかる動作をする。ある実施例においては、用紙ピックアップローラー２１の軸２１１は第一の歯車２１２により覆われ、用紙分離ローラー２２の軸２２１は第二の歯車２２２により覆われていて、伝達歯車セット２６が用紙ピックアップローラー２１と用紙分離ローラー２２の間に設置されている。伝達歯車セット２６は、第一の歯車２１２と第二の歯車２２２とに噛み合わされていて、このため用紙ピックアップローラー２１は用紙分離ローラー２２により回転させられる。用紙ピックアップローラー２１が回転しながら用紙Ｐに接触した時、用紙Ｐは用紙誘導通路に送り込まれる。実施例によっては、伝達歯車セット２６は伝達ベルト（図示していない）に置き換えることができる。
【００１７】
用紙停止機構２３は、用紙誘導通路の入口に取付けられる。紙送り指令が受付けられると、用紙Ｐの束の一番上の用紙が分離されて、用紙停止機構２３に停止されることなく用紙誘導通路の入口に送られる。一方、紙送り指令を受付けていない場合には、用紙入力トレイ２４の上の用紙Ｐは、用紙誘導通路の入口に送られることを用紙停止機構２３により阻止される。
【００１８】
図２と図３を再度参照願いたい。用紙停止機構２３は、用紙停止要素２３１、誘導要素２３２、二つの誘導スロット２３３、そして支持要素２３４とから成る。紙送り指令を受けていない場合には、用紙入力トレイ２４の上に積まれた用紙Ｐの先端部は用紙停止要素２３１により用紙誘導通路の入口に送られることを阻止されている。誘導要素２３２の一端は用紙ピックアップローラー２１の軸２１１の周りを覆っている。誘導要素２３２の他の一端は、用紙停止要素２３１に対して保持されている。用紙ピックアップローラー２１が用紙入力トレイ２４の方向に移動するとき、用紙停止要素２３１は誘導要素２３２により誘導されて誘導スロット２３３に沿って移動、回転し、その結果として用紙の先端は用紙停止要素２３１により阻止されることがなくなり、用紙は用紙誘導通路の入口に送り込まれることができるようになる。誘導要素２３２の回転の際には、支持要素２３４は支点として作用する。
【００１９】
図３に示すように、用紙停止要素２３１は停止部２３１１，二つの突起部２３１２，小穴２３１３と接触部２３１４とから成る。停止部２３１１は用紙停止要素２３１の下端に配置されていて、紙送り指令が受付けられていない時には用紙の先端を妨げるようにしている。二つの突起部２３１２は、それぞれ用紙停止要素２３１の両側に配置され、対応する二つの誘導スロット２３３（図２参照）に内挿されていて、用紙停止要素２３１の動きを規制している。小穴２３１３は、用紙停止要素２３１の上端近傍に設けられている。接触部２３１４は、実質的には用紙停止要素２３１の上端に設けられた水平の棒である。さらには、誘導要素２３２は覆い部２３２１、拡張アーム２３２２、そして押さえ部２３２３とから成る。覆い部２３２１は用紙ピックアップローラー２１の軸２１１の周りを覆っている。拡張アーム２３２２は第一の端部が覆い部２３２１に接続されていて、第二の端部は用紙停止要素２３１の小穴２３１３を貫通している。拡張アーム２３２２は、実質的には紙送りの方向に延びてゆく。さらに、押さえ部２３２３は拡張アーム２３２２の第二の端部の設けられていて、用紙停止要素２３１の接触部２３１４が拡張アーム２３２２から離れないようにしている。
【００２０】
図２を再度参照願いたい。幾つかの仕切り板が上部カバー２０の内側の表面から突き出ている。さらに、用紙停止要素２３１が二つの隣り合う仕切り板２０１と２０２の間に設置されている。突起部２３１２に対応して、二つの誘導スロット２３３がそれぞれ仕切り板２０１と２０２とに形成されている。支持要素２３４は誘導要素２３２の下部に設置されている。この実施例では、支持要素２３４は二つの厚板を含み、二つの厚板は仕切り板２０１と２０２から張り出ていて、互いに向き合っている。
【００２１】
図２と図４に示されるように、二つの誘導スロット２３３は、用紙停止要素２３１の両側に対称的に配置されている。それぞれの誘導スロット２３３は、輪郭形成されたスロットである。さらに、誘導スロット２３３は直線部２３３１と曲線部２３３２とから成る。直線部２３３１は、水平面に対して実質的に垂直である。直線部２３３１の幅は用紙停止要素２３１の突起部２３１２の幅よりも少しだけ大きい。曲線部２３３２は直線部２３３１と連続していて、用紙ピックアップローラー２１の方向に曲げられている。曲線部２３３２の幅は直線部２３３１の幅よりも大きくなっていて、用紙停止要素２３１の突起部２３１２が誘導スロット２３３の中で移動、回転できるようになっている。
【００２２】
以下に、図２と図３に加えて図４Ａ〜図４Ｃを参照しながら本発明による用紙停止機構の動作を図解する。図４Ａに示されるように、自動給紙装置２が待機状態の時（すなわち、用紙ピックアップローラー２１が紙送りのために使用される以前）、用紙停止要素２３１の停止部２３１１は、用紙Ｐの束の先端部に接していて用紙Ｐが用紙誘導通路に送られることを阻止している。このとき、紙停止要素２３１の二つの突起部２３１２は、対応する誘導スロット２３３の直線部２３３１の中に収まっている。自動給紙装置２から紙送りの指令を受けると、用紙分離ローラー２２は駆動装置により回転させられる。用紙分離ローラー２２の軸２２１が回転シャフトとして動作するとともに、用紙ピックアップアーム２５は回転して、その結果用紙ピックアップローラー２１は下方に移動して用紙入力トレイ２４に近づく。さらに、伝達歯車セット２６は、第一の歯車２１２と第二の歯車２２２と噛み合っているため、用紙ピックアップローラー２１は用紙分離ローラー２２とともに回転する。その結果、図４Ｂに示されるように、用紙ピックアップローラー２１は用紙Ｐと接して、用紙Ｐを連続的に送るようになる。
【００２３】
図２を再度参照願いたい。誘導要素２３２の覆い部２３２１が用紙ピックアップローラー２１の軸２１１の周りを覆っているため、誘導要素２３２の拡張アーム２３２２は、用紙ピックアップローラー２１が用紙入力トレイ２４の方向に移動する間は、支持要素２３４に接している。支持要素２３４が支点として機能するため、拡張アーム２３２２は接触部２３１４を持ち上げる方向に支えられ、このため用紙停止要素２３１は上方に引き上げられる。用紙停止要素２３１が上方に引き上げられている間、用紙停止要素２３１の突起部２３１２は直線部２３３１から、直線部２３３１と曲線部２３３２との間にある接続点２３３３を経由して曲線部２３３２へと移動する。このような状況で、用紙Ｐの先端は用紙停止要素２３１の停止部２３１１にもはや妨げられることなく、一番上の用紙Ｐは用紙ピックアップローラー２１の働きによって用紙誘導通路の入口に送られる。用紙入力トレイ２４の上の用紙Ｐが一枚一枚連続的に用紙誘導通路の中に送られるため、用紙ピックアップローラー２１は、さらに下降して用紙入力トレイ２４の上に残っている用紙Ｓに接するようになる。誘導スロット２３３の曲線部２３３２の幅は直線部２３３１の幅よりも広い。このため、用紙停止要素２３１の突起部２３１２は誘導スロット２３３の中に、かなりの程度回転して移動することが許容される。換言すれば図４Ｃで示されるように、用紙停止要素２３１は誘導要素２３２により、さらに高い位置に引き上げられることになる。    
【００２４】
紙送り動作が停止すると、用紙ピックアップローラー２１が上昇して元の位置に戻り、このため誘導要素２３２は回転して元の位置に戻る。これと同時に、誘導要素２３２の拡張アーム２３２２は用紙停止要素２３１が降下するように支持されて、このため用紙停止要素２３１は図４Ａに示されるように、元の位置に戻される。この次の紙送り動作が行われるまでは、用紙入力トレイの上に置かれた用紙Ｐの先端は、用紙停止要素２３１に妨げられて、用紙誘導通路に送られることはない。
【００２５】
以上の説明により、本発明による用紙停止機構は、紙送り指令を受けていない時には用紙の先端を止めることができることが示された。さらには、紙送り指令に対応して、用紙停止機構の用紙停止要素は上方に引き上げられて、用紙が用紙誘導通路の中に連続的に送られることを許容する。本発明による用紙停止機構は、誘導要素、用紙停止要素と誘導スロットとを含む。誘導要素は用紙ピックアップローラーの軸の周りを覆う第一の端部と、用紙停止要素に対して支持されている第二の端部とをもつ。用紙ピックアップローラーが紙送り動作のために用紙入力トレイの方向に移動するとき、用紙停止要素は誘導スロットの中で移動、回転する。このようにして、用紙の先端はもはや用紙停止要素により妨げられることなく、用紙誘導通路の中に送られることが許容される。さらに、用紙停止要素は用紙ピックアップローラーが紙送り動作を実行するために用紙入力トレイの方向に移動する間に、移動、回転するため、製造過程で発生した毛羽立った突起は用紙停止要素に悪影響を及ぼすことはない。誘導要素の移動とともに用紙停止要素が元の位置に戻るため、用紙停止要素の重量については特に設計面や制御面で気をつかう必要はない。さらに、用紙停止要素は上方向に移動できるため、上部カバーが閉まる時に用紙を突き破るという可能性は避けられる。
【００２６】
本発明は、現時点で最も実用的で最適な実施例は何かとの観点から説明されている。このため、本発明はここに開示された実施例に限定される必要はないと理解されるべきである。逆に、本発明は添付した請求項の精神や範囲の中に含まれる様々な変形や類似の構成にも範囲が及ぶことを意図しており、その請求項はそのような全ての変形や類似構成をも包含するような最も広い解釈が付与されるべきである。
【符号の説明】
【００２７】
１１      抑制部
１２      停止
１２１    下端部
１２２    軸の中心
１３      用紙
２        自動給紙装置
２０      上部カバー
２０１    仕切り板
２０２    仕切り板
２１      用紙ピックアップローラー
２１１    軸
２１２    第一の歯車
２２      用紙分離ローラー
２２１    軸
２２２    第二の歯車
２３      用紙停止機構
２３１    用紙停止要素
２３１１  停止部
２３１２  突起部
２３１３  小穴
２３１４  接触部
２３２    誘導要素
２３２１  覆い部
２３２２  拡張アーム  
２３２３  押さえ部
２３３    誘導スロット
２３３１  直線部
２３３２  曲線部
２３３３  接続点
２３４    支持要素
２４      用紙入力トレイ
２５      用紙ピックアップアーム
２６      伝達歯車セット
【図１】
2010280505.tif 000003
【図２】
2010280505.tif 000004
【図３】
2010280505.tif 000005
【図４Ａ】
2010280505.tif 000006
【図４Ｂ】
2010280505.tif 000007
【図４Ｃ】
2010280505.tif 000008
【外国語明細書】
2010280505.tif 000009
2010280505.tif 000010
2010280505.tif 000011
2010280505.tif 000012
2010280505.tif 000013
2010280505.tif 000014
2010280505.tif 000015
2010280505.tif 000016
2010280505.tif 000017
2010280505.tif 000018
2010280505.tif 000019
2010280505.tif 000020
2010280505.tif 000021
2010280505.tif 000022
2010280505.tif 000023
2010280505.tif 000024
2010280505.tif 000025
2010280505.tif 000026
2010280505.tif 000027
2010280505.tif 000028
2010280505.tif 000029